(57)【特許請求の範囲】
【請求項１】
電子機器であって、
複数種類の周波数バンドに対応する無線通信部と、
前記複数種類の周波数バンドから、使用に適した周波数バンドをサーチするサーチ処理を実行するサーチ部と、
前記電子機器が水中に存在するか否かを判定する判定部と
を備え、
前記サーチ部は、前記判定部が前記電子機器が水中に存在すると判定する場合の前記サーチ処理において、前記複数種類の周波数バンドのうち、最初に最低周波数バンドを確認し、当該最低周波数バンドが使用に適した周波数バンドではないと判定したときには、前記複数種類の周波数バンドのうち、当該最低周波数バンド以外のすべての周波数バンドを確認せずに前記サーチ処理を終了し、前記判定部が前記電子機器が水中に存在しないと判定するまで前記サーチ処理を実行しない、電子機器。
【請求項２】
電子機器であって、
複数種類の周波数バンドに対応する無線通信部と、
前記複数種類の周波数バンドから、使用に適した周波数バンドをサーチするサーチ処理を実行するサーチ部と、
前記電子機器が水中に存在するか否かを判定する判定部と
を備え、
前記サーチ部は、
前記判定部が前記電子機器が水中に存在しないと判定する場合、前記サーチ処理において使用に適した周波数バンドが見つからないときには、当該サーチ処理の開始から第１時間後に再度前記サーチ処理を実行し、
前記判定部が前記電子機器が水中に存在すると判定する場合、前記サーチ処理において使用に適した周波数バンドが見つからないときには、当該サーチ処理の開始から、前記第１時間よりも長い第２時間後に再度前記サーチ処理を実行し、
前記サーチ部は、前記判定部が前記電子機器が水中に存在すると判定する場合の前記サーチ処理において、前記複数種類の周波数バンドのうち、最初に最低周波数バンドを確認し、当該最低周波数バンドが使用に適した周波数バンドではないと判定したときには、前記複数種類の周波数バンドのうち、当該最低周波数バンド以外のすべての周波数バンドを確認しない、電子機器。
【請求項３】
請求項１及び請求項２のいずれか一つに記載の電子機器であって、
前記サーチ部は、前記判定部が前記電子機器が水中に存在すると判定する場合の前記サーチ処理において、前記複数種類の周波数バンドのうち、前記最低周波数バンドについてだけ、使用に適した周波数バンドであるか否かを確認し、
前記無線通信部は、前記判定部が前記電子機器が水中に存在すると判定する場合、前記サーチ処理において使用に適した周波数バンドであると判定された前記最低周波数バンドを使用して無線通信を行う、電子機器。
【請求項４】
請求項１乃至請求項３のいずれか一つに記載の電子機器であって、
前記無線通信部は、前記判定部が前記電子機器が水中に存在すると判定する場合の前記サーチ処理が終了した後に前記判定部が前記電子機器が水中に存在しないと判定したとき、前記複数の周波数バンドのうち、当該サーチ処理の直前において使用していた周波数バンドを使用して無線通信を行う、電子機器。
【請求項５】
請求項１乃至請求項３のいずれか一つに記載の電子機器であって、
前記サーチ部は、前記判定部が前記電子機器が水中に存在すると判定する場合の前記サーチ処理を終了した後に前記判定部が前記電子機器が水中に存在しないと判定したとき、前記サーチ処理を行う、電子機器。
【請求項６】
無線通信を行い、複数種類の周波数バンドに対応する電子機器が備える、当該電子機器の動作を制御する制御装置であって、
前記複数種類の周波数バンドから、使用に適した周波数バンドをサーチするサーチ処理を実行するサーチ部と、
前記電子機器が水中に存在するか否かを判定する判定部と
を備え、
前記サーチ部は、前記判定部が前記電子機器が水中に存在すると判定する場合の前記サーチ処理において、前記複数種類の周波数バンドのうち、最初に最低周波数バンドを確認し、当該最低周波数バンドが使用に適した周波数バンドではないと判定したときには、前記複数種類の周波数バンドのうち、当該最低周波数バンド以外のすべての周波数バンドを確認せずに前記サーチ処理を終了し、前記判定部が前記電子機器が水中に存在しないと判定するまで前記サーチ処理を実行しない、制御装置。
【請求項７】
無線通信を行い、複数種類の周波数バンドに対応する電子機器が備える、当該電子機器の動作を制御する制御装置であって、
前記複数種類の周波数バンドから、使用に適した周波数バンドをサーチするサーチ処理を実行するサーチ部と、
前記電子機器が水中に存在するか否かを判定する判定部と
を備え、
前記サーチ部は、
前記判定部が前記電子機器が水中に存在しないと判定する場合、前記サーチ処理において使用に適した周波数バンドが見つからないときには、当該サーチ処理の開始から第１時間後に再度前記サーチ処理を実行し、
前記判定部が前記電子機器が水中に存在すると判定する場合、前記サーチ処理において使用に適した周波数バンドが見つからないときには、当該サーチ処理の開始から、前記第１時間よりも長い第２時間後に再度前記サーチ処理を実行し、
前記サーチ部は、前記判定部が前記電子機器が水中に存在すると判定する場合の前記サーチ処理において、前記複数種類の周波数バンドのうち、最初に最低周波数バンドを確認し、当該最低周波数バンドが使用に適した周波数バンドではないと判定したときには、前記複数種類の周波数バンドのうち、当該最低周波数バンド以外のすべての周波数バンドを確認しない、制御装置。
【請求項８】
無線通信を行い、複数種類の周波数バンドに対応する電子機器を制御するための制御プログラムであって、
前記電子機器に、
（ａ）前記電子機器が水中に存在するか否かを判定する工程と、
（ｂ）前記電子機器が水中に存在すると判定される場合の、前記複数種類の周波数バンドから、使用に適した周波数バンドをサーチするサーチ処理において、前記複数種類の周波数バンドのうち、最初に最低周波数バンドを確認し、当該最低周波数バンドが使用に適した周波数バンドではないと判定したときには、前記複数種類の周波数バンドのうち、当該最低周波数バンド以外のすべての周波数バンドを確認せずに前記サーチ処理を終了し、前記電子機器が水中に存在しないと判定されるまで前記サーチ処理を実行しない工程と
を実行させるための制御プログラム。
【請求項９】
無線通信を行い、複数種類の周波数バンドに対応する電子機器を制御するための制御プログラムであって、
前記電子機器に、
（ａ）前記電子機器が水中に存在するか否かを判定する工程と、
（ｂ）前記電子機器が水中に存在しないと判定される場合、前記複数種類の周波数バンドから、使用に適した周波数バンドをサーチするサーチ処理において、使用に適した周波数バンドが見つからないときには、当該サーチ処理の開始から第１時間後に再度前記サーチ処理を実行する工程と、
（ｃ）前記電子機器が水中に存在すると判定される場合、前記サーチ処理において使用に適した周波数バンドが見つからないときには、当該サーチ処理の開始から、前記第１時間よりも長い第２時間後に再度前記サーチ処理を実行する工程と、
（ｄ）前記電子機器が水中に存在すると判定される場合の前記サーチ処理において、前記複数種類の周波数バンドのうち、最初に最低周波数バンドを確認し、当該最低周波数バンドが使用に適した周波数バンドではないと判定したときには、前記複数種類の周波数バンドのうち、当該最低周波数バンド以外のすべての周波数バンドを確認しない工程と
を実行させるための制御プログラム。
【請求項１０】
無線通信を行い、複数種類の周波数バンドに対応する電子機器の動作方法であって
（ａ）前記電子機器が水中に存在するか否かを判定する工程と、
（ｂ）前記電子機器が水中に存在すると判定される場合の、前記複数種類の周波数バンドから、使用に適した周波数バンドをサーチするサーチ処理において、前記複数種類の周波数バンドのうち、最初に最低周波数バンドを確認し、当該最低周波数バンドが使用に適した周波数バンドではないと判定したときには、前記複数種類の周波数バンドのうち、当該最低周波数バンド以外のすべての周波数バンドを確認せずに前記サーチ処理を終了し、前記電子機器が水中に存在しないと判定されるまで前記サーチ処理を実行しない工程と
を備える、電子機器の動作方法。
【請求項１１】
無線通信を行い、複数種類の周波数バンドに対応する電子機器の動作方法であって、
（ａ）前記電子機器が水中に存在するか否かを判定する工程と、
（ｂ）前記電子機器が水中に存在しないと判定される場合、前記複数種類の周波数バンドから、使用に適した周波数バンドをサーチするサーチ処理において、使用に適した周波数バンドが見つからないときには、当該サーチ処理の開始から第１時間後に再度前記サーチ処理を実行する工程と、
（ｃ）前記電子機器が水中に存在すると判定される場合、前記サーチ処理において使用に適した周波数バンドが見つからないときには、当該サーチ処理の開始から、前記第１時間よりも長い第２時間後に再度前記サーチ処理を実行する工程と、
（ｄ）前記電子機器が水中に存在すると判定される場合の前記サーチ処理において、前記複数種類の周波数バンドのうち、最初に最低周波数バンドを確認し、当該最低周波数バンドが使用に適した周波数バンドではないと判定したときには、前記複数種類の周波数バンドのうち、当該最低周波数バンド以外のすべての周波数バンドを確認しない工程と
を備える、電子機器の動作方法。
【発明の詳細な説明】
【技術分野】
【０００１】
本開示は、電子機器に関する。
【背景技術】
【０００２】
特許文献１にも記載されているように、従来から電子機器に関して様々な技術が提案されている。
【先行技術文献】
【特許文献】
【０００３】
【特許文献１】特開２０１４−１６５８２６号公報
【発明の概要】
【発明が解決しようとする課題】
【０００４】
電子機器については、その消費電力を低減することが望まれる。
【０００５】
そこで、本発明は、電子機器の消費電力を低減することが可能な技術を提供することを目的とする。
【課題を解決するための手段】
【０００６】
電子機器、制御装置、制御プログラム及び電子機器の動作方法が開示される。一の実施の形態では、電子機器は、無線通信部、サーチ部及び判定部を備える。無線通信部は、複数種類の周波数バンドに対応する。サーチ部は、複数種類の周波数バンドから、使用に適した周波数バンドをサーチするサーチ処理を実行する。判定部は、電子機器が水中に存在するか否かを判定する。サーチ部は、判定部が電子機器が水中に存在すると判定する場合のサーチ処理において、複数種類の周波数バンドのうち、最初に最低周波数バンドを確認し、当該最低周波数バンドが使用に適した周波数バンドではないと判定したときには、複数種類の周波数バンドのうち、当該最低周波数バンド以外のすべての周波数バンドを確認せずにサーチ処理を終了する。そして、サーチ部は、判定部が電子機器が水中に存在しないと判定するまでサーチ処理を実行しない。
【０００７】
また、一の実施の形態では、電子機器は、無線通信部、サーチ部及び判定部を備える。無線通信部は、複数種類の周波数バンドに対応する。サーチ部は、複数種類の周波数バンドから、使用に適した周波数バンドをサーチするサーチ処理を実行する。判定部は、電子機器が水中に存在するか否かを判定する。サーチ部は、判定部が電子機器が水中に存在しないと判定する場合、サーチ処理において使用に適した周波数バンドが見つからないときには、当該サーチ処理の開始から第１時間後に再度サーチ処理を実行する。サーチ部は、判定部が電子機器が水中に存在すると判定する場合、サーチ処理において使用に適した周波数バンドが見つからないときには、当該サーチ処理の開始から、第１時間よりも長い第２時間後に再度サーチ処理を実行する。サーチ部は、判定部が電子機器が水中に存在すると判定する場合のサーチ処理において、複数種類の周波数バンドのうち、最初に最低周波数バンドを確認し、当該最低周波数バンドが使用に適した周波数バンドではないと判定したときには、複数種類の周波数バンドのうち、当該最低周波数バンド以外のすべての周波数バンドを確認しない。
【０００８】
また、一の実施の形態では、制御装置は、無線通信を行い、複数種類の周波数バンドに対応する電子機器が備える、当該電子機器の動作を制御する制御装置である。制御装置は、サーチ部及び判定部を備える。サーチ部は、複数種類の周波数バンドから、使用に適した周波数バンドをサーチするサーチ処理を実行するサー。判定部は、電子機器が水中に存在するか否かを判定する。サーチ部は、判定部が電子機器が水中に存在すると判定する場合のサーチ処理において、複数種類の周波数バンドのうち、最初に最低周波数バンドを確認し、当該最低周波数バンドが使用に適した周波数バンドではないと判定したときには、複数種類の周波数バンドのうち、当該最低周波数バンド以外のすべての周波数バンドを確認せずにサーチ処理を終了する。そして、サーチ部は、判定部が電子機器が水中に存在しないと判定するまでサーチ処理を実行しない。
【０００９】
また、一の実施の形態では、制御装置は、無線通信を行い、複数種類の周波数バンドに対応する電子機器が備える、当該電子機器の動作を制御する制御装置である。制御装置は、サーチ部及び判定部を備える。サーチ部は、複数種類の周波数バンドから、使用に適した周波数バンドをサーチするサーチ処理を実行する。判定部は、電子機器が水中に存在するか否かを判定する。サーチ部は、判定部が電子機器が水中に存在しないと判定する場合、サーチ処理において使用に適した周波数バンドが見つからないときには、当該サーチ処理の開始から第１時間後に再度サーチ処理を実行する。サーチ部は、判定部が電子機器が水中に存在すると判定する場合、サーチ処理において使用に適した周波数バンドが見つからないときには、当該サーチ処理の開始から、第１時間よりも長い第２時間後に再度サーチ処理を実行する。サーチ部は、判定部が電子機器が水中に存在すると判定する場合のサーチ処理において、複数種類の周波数バンドのうち、最初に最低周波数バンドを確認し、当該最低周波数バンドが使用に適した周波数バンドではないと判定したときには、複数種類の周波数バンドのうち、当該最低周波数バンド以外のすべての周波数バンドを確認しない。
【００１０】
また、一の実施の形態では、制御プログラムは、無線通信を行い、複数種類の周波数バンドに対応する電子機器を制御するための制御プログラムである。制御プログラムは、電子機器に、工程（ａ），（ｂ）を実行させるためのものである。工程（ａ）は、電子機器が水中に存在するか否かを判定する工程である。工程（ｂ）は、電子機器が水中に存在すると判定される場合の、複数種類の周波数バンドから、使用に適した周波数バンドをサーチするサーチ処理において、複数種類の周波数バンドのうち、最初に最低周波数バンドを確認し、当該最低周波数バンドが使用に適した周波数バンドではないと判定したときには、複数種類の周波数バンドのうち、当該最低周波数バンド以外のすべての周波数バンドを確認せずにサーチ処理を終了し、電子機器が水中に存在しないと判定されるまでサーチ処理を実行しない工程である。
【００１１】
また、一の実施の形態では、制御プログラムは、無線通信を行い、複数種類の周波数バンドに対応する電子機器を制御するための制御プログラムである。制御プログラムは、電子機器に、工程（ａ）〜（ｄ）を実行させるためのものである。工程（ａ）は、電子機器が水中に存在するか否かを判定する工程である。工程（ｂ）は、電子機器が水中に存在しないと判定される場合、複数種類の周波数バンドから、使用に適した周波数バンドをサーチするサーチ処理において、使用に適した周波数バンドが見つからないときには、当該サーチ処理の開始から第１時間後に再度サーチ処理を実行する工程である。工程（ｃ）は、電子機器が水中に存在すると判定される場合、サーチ処理において使用に適した周波数バンドが見つからないときには、当該サーチ処理の開始から、第１時間よりも長い第２時間後に再度サーチ処理を実行する工程である。工程（ｄ）は、電子機器が水中に存在すると判定される場合のサーチ処理において、複数種類の周波数バンドのうち、最初に最低周波数バンドを確認し、当該最低周波数バンドが使用に適した周波数バンドではないと判定したときには、複数種類の周波数バンドのうち、当該最低周波数バンド以外のすべての周波数バンドを確認しない工程である。
【００１２】
また、一の実施の形態では、電子機器の動作方法は、無線通信を行い、複数種類の周波数バンドに対応する電子機器の動作方法である。電子機器の動作方法は、工程（ａ），（ｂ）を備える。工程（ａ）は、電子機器が水中に存在するか否かを判定する工程である。工程（ｂ）は、電子機器が水中に存在すると判定される場合の、複数種類の周波数バンドから、使用に適した周波数バンドをサーチするサーチ処理において、複数種類の周波数バンドのうち、最初に最低周波数バンドを確認し、当該最低周波数バンドが使用に適した周波数バンドではないと判定したときには、複数種類の周波数バンドのうち、当該最低周波数バンド以外のすべての周波数バンドを確認せずにサーチ処理を終了し、電子機器が水中に存在しないと判定されるまでサーチ処理を実行しない工程である。
【００１３】
また、一の実施の形態では、電子機器の動作方法は、無線通信を行い、複数種類の周波数バンドに対応する電子機器の動作方法である。電子機器の動作方法は、工程（ａ）〜（ｄ）を備える。工程（ａ）は、電子機器が水中に存在するか否かを判定する工程である。工程（ｂ）は、電子機器が水中に存在しないと判定される場合、複数種類の周波数バンドから、使用に適した周波数バンドをサーチするサーチ処理において、使用に適した周波数バンドが見つからないときには、当該サーチ処理の開始から第１時間後に再度サーチ処理を実行する工程である。工程（ｃ）は、電子機器が水中に存在すると判定される場合、サーチ処理において使用に適した周波数バンドが見つからないときには、当該サーチ処理の開始から、第１時間よりも長い第２時間後に再度サーチ処理を実行する工程である。工程（ｄ）は、電子機器が水中に存在すると判定される場合のサーチ処理において、複数種類の周波数バンドのうち、最初に最低周波数バンドを確認し、当該最低周波数バンドが使用に適した周波数バンドではないと判定したときには、複数種類の周波数バンドのうち、当該最低周波数バンド以外のすべての周波数バンドを確認しない工程である。
【発明の効果】
【００１４】
電子機器の消費電力が低減する。
【図面の簡単な説明】
【００１５】
【図１】電子機器の外観の一例を示す斜視図である。
【図２】電子機器の外観の一例を示す背面図である。
【図３】電子機器の構成の一例を示すブロック図である。
【図４】無線通信部の構成の一例を示すブロック図である。
【図５】制御部の構成の一例を示すブロック図である。
【図６】電子機器の動作の一例を示すフローチャートである。
【図７】第１サーチ処理が間欠的に実行される様子の一例を示す図である。
【図８】電子機器の動作の一例を示すフローチャートである。
【図９】電子機器の動作の一例を示すフローチャートである。
【図１０】電子機器の動作の一例を示すフローチャートである。
【図１１】電子機器の動作の一例を示すフローチャートである。
【図１２】電子機器の動作の一例を示すフローチャートである。
【図１３】電子機器の動作の一例を示すフローチャートである。
【図１４】第２サーチ処理が間欠的に実行される様子の一例を示す図である。
【図１５】電子機器の動作の一例を示すフローチャートである。
【図１６】電子機器の動作の一例を示すフローチャートである。
【図１７】電子機器の動作の一例を示すフローチャートである。
【図１８】電子機器の動作の一例を示すフローチャートである。
【図１９】電子機器の動作の一例を示すフローチャートである。
【発明を実施するための形態】
【００１６】
＜電子機器の外観＞
図１及び２は電子機器１の外観の一例を示す斜視図及び背面図である。電子機器１は、例えば、スマートフォン等の携帯電話機である。電子機器１は、基地局との間で、例えばＬＴＥ（Long Term Evolution）に応じた無線通信を行う。電子機器１は、他の通信方式、例えば、ＵＭＴＳ（Universal Mobile Telecommunications System）あるいはＣＤＭＡ（Code Division Multiple Access）などに応じた無線通信を行ってもよい。以後、電子機器１で使用される通信方式を「使用通信方式」と呼ぶことがある。
【００１７】
図１及び２に示されるように、電子機器１は、平面視で略長方形の板状の機器ケース１０を備えている。機器ケース１０は電子機器１の外装を構成している。電子機器１の前面１ａ、つまり機器ケース１０の前面には、文字、記号、図形等の各種情報が表示される表示領域１１が設けられている。表示領域１１の背面側には後述するタッチパネル１４０が設けられている。これにより、ユーザは、電子機器１の前面１ａの表示領域１１を指等で操作することによって、電子機器１に対して各種情報を入力することができる。なお、ユーザは、指以外の操作子、例えば、スタイラスペンなどのタッチパネル用ペンで表示領域１１を操作することによっても、電子機器１に対して各種情報を入力することができる。
【００１８】
電子機器１の前面１ａ（機器ケース１０の前面）の上側端部にはレシーバ穴１２が設けられている。電子機器１の前面１ａの下側端部にはスピーカ穴１３が設けられている。電子機器１の下側の側面１ｃにはマイク穴１４が設けられている。
【００１９】
電子機器１の前面１ａの上側端部からは、後述する第１カメラ１９０が有するレンズ１９１が視認可能となっている。図２に示されるように、電子機器１の背面１ｂの上側端部からは、後述する第２カメラ２００が有するレンズ２０１が視認可能となっている。
【００２０】
電子機器１の前面１ａの下側端部には、複数の操作ボタン１５，１６，１７から成る操作ボタン群１８が設けられている。操作ボタン１５，１６，１７のそれぞれはハードウェアボタンである。具体的には、操作ボタン１５，１６，１７のそれぞれは押しボタンである。なお、操作ボタン１５，１６，１７は、表示領域１１に表示されるソフトウェアボタンであってもよい。
【００２１】
操作ボタン１５は、例えばバックボタンである。バックボタンは、表示領域１１の表示を一つ前の表示に切り替えるための操作ボタンである。ユーザが操作ボタン１５を操作することよって、表示領域１１の表示が一つ前の表示に切り替わる。
【００２２】
操作ボタン１６は、例えばホームボタンである。ホームボタンは、表示領域１１にホーム画面を表示させるための操作ボタンである。ユーザが操作ボタン１６を操作することよって、表示領域１１にホーム画面が表示される。
【００２３】
操作ボタン１７は、例えば履歴ボタンである。履歴ボタンは、電子機器１で実行されたアプリケーションの履歴を表示領域１１に表示させるための操作ボタンである。ユーザが操作ボタン１７を操作することよって、表示領域１１には、電子機器１で実行されたアプリケーションの履歴が表示される。
【００２４】
＜電子機器の電気的構成＞
図３は電子機器１の電気的構成の一例を主に示すブロック図である。図３に示されるように、電子機器１には、制御部１００、無線通信部１１０、表示部１２０、タッチパネル１４０、操作ボタン群１８及び圧力センサ１５０が設けられている。さらに電子機器１には、レシーバ１６０、スピーカ１７０、マイク１８０、第１カメラ１９０、第２カメラ２００及び電池２１０が設けられている。電子機器１に設けられたこれらの構成要素は、機器ケース１０内に収められている。
【００２５】
制御部１００は、一種の演算処理装置であって、一種の電気回路でもある。制御部１００は、例えば、ＣＰＵ（Central Processing Unit）１０１、ＤＳＰ（Digital Signal Processor）１０２及び記憶部１０３等を備えている。制御部１００は、電子機器１の他の構成要素を制御することによって、電子機器１の動作を統括的に管理することが可能である。制御部１００は、例えば、ＳｏＣ（System-on-a-Chip）、ＭＣＵ（Micro Control Unit）及びＦＰＧＡ（Field-Programmable Gate Array）等の副処理装置（co-processor）をさらに含んでもよい。この場合には、制御部１００は、ＣＰＵ１０１及び副処理装置を互いに協働させて各種の制御を行ってよいし、両者のうちの一方を切り替えながら用いて各種の制御を行ってよい。制御部１００は制御装置１００とも言える。
【００２６】
記憶部１０３は、ＲＯＭ（Read Only Memory）及びＲＡＭ（Random Access Memory）などの、ＣＰＵ１０１及びＤＳＰ１０２が読み取り可能な非一時的な記録媒体を含む。記憶部１０３が有するＲＯＭは、例えば、不揮発性メモリであるフラッシュＲＯＭ（フラッシュメモリ）である。記憶部１０３には、電子機器１を制御するための複数の制御プログラム１０３ａ等が記憶されている。制御部１００の各種機能は、ＣＰＵ１０１及びＤＳＰ１０２が記憶部１０３内の各種制御プログラム１０３ａを実行することによって実現される。
【００２７】
なお、制御部１００の全ての機能あるいは制御部１００の一部の機能は、その機能の実現にソフトウェアが不要なハードウェア回路によって実現されてもよい。また、記憶部１０３は、ＲＯＭ及びＲＡＭ以外の、コンピュータが読み取り可能な非一時的な記録媒体を備えていてもよい。記憶部１０３は、例えば、小型のハードディスクドライブ及びＳＳＤ（Solid State Drive）などを備えていてもよい。
【００２８】
記憶部１０３内の複数の制御プログラム１０３ａには、様々なアプリケーション（アプリケーションプログラム）が含まれている。記憶部１０３には、例えば、音声通話及びビデオ通話を行うための通話アプリケーション、ウェブサイトを表示するためのブラウザ、電子メールの作成、閲覧及び送受信を行うためのメールアプリケーションが記憶されている。また記憶部１０３には、第１カメラ１９０及び第２カメラ２００を利用して被写体を撮影するためのカメラアプリケーション、地図を表示するための地図表示アプリケーション、記憶部１０３に記憶されている音楽データの再生制御を行うための音楽再生制御アプリケーションなどが記憶されている。記憶部１０３内の少なくとも一つのアプリケーションは、記憶部１０３内にあらかじめ記憶されているものであってよい。また、記憶部１０３内の少なくとも一つのアプリケーションは、電子機器１が他の装置からダウンロードして記憶部１０３内に記憶したものであってよい。
【００２９】
無線通信部１１０は、アンテナ１１１を有している。無線通信部１１０は、アンテナ１１１を用いて、制御部１００による制御よって無線通信を行うことが可能である。無線通信部１１０は、使用通信方式に応じた無線通信を行う。無線通信部１１０は、電子機器１とは別の携帯電話機からの信号、あるいはインターネットに接続されたウェブサーバ等の通信装置からの信号を、基地局等を介してアンテナ１１１で受信する。無線通信部１１０は、受信信号に対して増幅処理及びダウンコンバートを行って制御部１００に出力する。制御部１００は、入力される受信信号に対して復調処理等を行って、当該受信信号に含まれるユーザデータ及び制御データ等を取得する。また無線通信部１１０は、制御部１００で生成された、ユーザデータ及び制御データ等を含む送信信号に対してアップコンバート及び増幅処理を行って、処理後の送信信号をアンテナ１１１から無線送信する。アンテナ１１１からの送信信号は、基地局等を通じて、電子機器１とは別の携帯電話機、あるいはインターネット等に接続された通信装置で受信される。
【００３０】
表示部１２０は、電子機器１の前面１ａに設けられた表示領域１１と、表示パネル１３０とを備えている。表示部１２０は、表示領域１１に各種情報を表示することが可能である。表示パネル１３０は、例えば、液晶表示パネルあるいは有機ＥＬパネルである。表示パネル１３０は、制御部１００によって制御されることによって、文字、記号、図形などの各種情報を表示することが可能である。表示パネル１３０は、機器ケース１０内において、表示領域１１と対向して配置されている。表示パネル１３０に表示される情報は表示領域１１に表示される。
【００３１】
タッチパネル１４０は、表示領域１１に対する指等の操作子による操作を検出することが可能である。タッチパネル１４０は、例えば、投影型静電容量方式のタッチパネルであって、表示領域１１の裏側に配置されている。ユーザが指等の操作子によって表示領域１１に対して操作を行ったとき、その操作に応じた電気信号がタッチパネル１４０から制御部１００に入力される。制御部１００は、タッチパネル１４０からの電気信号に基づいて、表示領域１１に対して行われた操作の内容を特定して、その内容に応じた処理を行う。
【００３２】
操作ボタン群１８の操作ボタン１５，１６，１７のそれぞれは、ユーザによって操作されると、操作されたことを示す操作信号を制御部１００に出力する。これにより、制御部１００は、操作ボタン１５，１６，１７のそれぞれついて、当該操作ボタンが操作されたか否かを判断することができる。操作信号が入力された制御部１００が他の構成要素を制御することによって、電子機器１では、操作された操作ボタンに割り当てられている上述の機能が実行される。
【００３３】
圧力センサ１５０は、気体及び液体の圧力を測定することが可能である。圧力センサ１５０は、気体及び液体の圧力を、例えばステンレスダイヤフラム又はシリコンダイヤフラムなどの部材を介して感圧素子で検出する。そして、圧力センサ１５０は、検出結果として、検出した圧力に応じた電気信号を制御部１００に出力する。制御部１００は、圧力センサ１５０での検出結果に基づいて圧力値を求める。この圧力値は後述する水中判定で利用される。
【００３４】
マイク１８０は、電子機器１の外部から入力される音を電気的な音信号に変換して制御部１００に出力することが可能である。電子機器１の外部からの音は、マイク穴１４から電子機器１の内部に取り込まれてマイク１８０に入力される。
【００３５】
スピーカ１７０は、例えばダイナミックスピーカである。スピーカ１７０は、制御部１００からの電気的な音信号を音に変換して出力することが可能である。スピーカ１７０から出力される音は、スピーカ穴１３から外部に出力される。スピーカ穴１３から出力される音は、電子機器１から離れた場所でも聞こえるようになっている。
【００３６】
レシーバ１６０は受話音を出力することが可能である。レシーバ１６０は、例えばダイナミックスピーカで構成されている。レシーバ１６０は、制御部１００からの電気的な音信号を音に変換して出力する。レシーバ１６０から出力される音は、レシーバ穴１２から外部に出力される。レシーバ穴１２から出力される音の音量は、スピーカ穴１３から出力される音の音量よりも小さくなっている。レシーバ穴１２から出力される音は、当該レシーバ穴１２に耳を近づけた場合に聞こえるようになっている。なお、レシーバ１６０の代わりに、機器ケース１０の前面部分を振動させる、圧電振動素子等の振動素子を設けてよい。この場合には、音は、当該前面部分の振動によりユーザに伝達される。
【００３７】
第１カメラ１９０は、レンズ１９１及び撮像素子などを備えている。第２カメラ２００は、レンズ２０１及び撮像素子などを備えている。第１カメラ１９０及び第２カメラ２００のそれぞれは、制御部１００による制御に基づいて被写体を撮影し、撮影した被写体を示す静止画像あるいは動画像を生成して制御部１００に出力することが可能である。
【００３８】
第１カメラ１９０のレンズ１９１は、電子機器１の前面１ａから視認可能となっている。したがって、第１カメラ１９０は、電子機器１の前面１ａ側（表示領域１１側）に存在する被写体を撮影することが可能である。第２カメラ２００のレンズ２０１は、電子機器１の背面１ｂから視認可能となっている。したがって、第２カメラ２００は、電子機器１の背面１ｂ側に存在する被写体を撮影することが可能である。
【００３９】
電池２１０は電子機器１の電源を出力することが可能である。電池２１０は例えば充電式の電池である。電池２１０から出力される電源は、電子機器１が備える制御部１００及び無線通信部１１０などの各種構成に対して供給される。
【００４０】
＜無線通信部の構成＞
図４は無線通信部１１０の構成の一例を示す図である。本例では、電子機器１は、マルチバンド対応の携帯電話機である。無線通信部１１０は複数種類の周波数バンドに対応している。無線通信部１１０は、制御部１００による制御によって、複数種類の周波数バンドのそれぞれを用いて無線通信することが可能である。無線通信部１１０は、例えば、互いに異なる第１〜第４周波数バンドに対応している。第１及び第２周波数バンドは、例えば７００ＭＨｚ〜８００ＭＨｚ帯である。第３及び第４周波数バンドは、例えば１．５ＧＨｚ〜２．０ＧＨｚ帯である。第１及び第２周波数バンドは、完全に一致しないものの、部分的に重複することがある。同様に、第３及び第４周波数バンドは、完全に一致しないものの、部分的に重複することがある。以後、第１〜第４周波数バンドを特に区別する必要が無い場合には、それぞれを「対応周波数バンド」と呼ぶことがある。
【００４１】
図４に示されるように、無線通信部１１０のアンテナ１１１は、第１及び第２周波数バンドに対応するアンテナ３０１と、第３及び第４周波数バンドに対応するアンテナ３０２とを備えている。また無線通信部１１０は、第１及び第２周波数バンドに対応するアンテナスイッチ３１１と、第３及び第４周波数バンドに対応するアンテナスイッチ３１２とを備えている。さらに、無線通信部１１０は、第１バンド回路３２１、第２バンド回路３２２、第３バンド回路３２３、第４バンド回路３２４及び無線回路３３０を備えている。第１バンド回路３２１、第２バンド回路３２２、第３バンド回路３２３及び第４バンド回路３２４は、第１〜第４周波数バンドにそれぞれ対応している。
【００４２】
制御部１００は、無線通信部１１０に第１周波数バンドを用いて無線通信させる場合には、無線回路３３０、第１バンド回路３２１及びアンテナスイッチ３１１を制御する。制御部１００は、第１周波数バンドの無線信号を無線通信部１１０に送信させる場合には、データ等を含む送信信号を無線回路３３０に入力する。無線回路３３０は、入力される送信信号に対してアップコンバート等を行って、第１周波数バンドの送信信号を生成し、生成した送信信号を第１バンド回路３２１に入力する。第１バンド回路３２１は、入力される送信信号に対してフィルタ処理及び増幅処理等を行い、処理後の送信信号をアンテナスイッチ３１１に入力する。アンテナスイッチ３１１は、入力される送信信号をアンテナ３０１から送信する。これにより、アンテナ３０１から、第１周波数バンドの送信信号が無線送信される。また、アンテナ３０１で受信される第１周波数バンドの受信信号は、アンテナスイッチ３１１に入力される。アンテナスイッチ３１１は、入力される受信信号を第１バンド回路３２１に入力する。第１バンド回路３２１は、入力される受信信号に対して増幅処理及びフィルタ処理等を行い、処理後の受信信号を無線回路３３０に入力する。無線回路３３０は、入力される第１周波数バンドの受信信号に対してダウンコンバート等を行って、ベースバンドの受信信号を生成して制御部１００に入力する。制御部１００は、入力される受信信号に対して復調処理等を行って、当該受信信号に含まれるデータ等を取得する。
【００４３】
制御部１００は、無線通信部１１０に第２周波数バンドを用いて無線通信させる場合には、無線回路３３０、第２バンド回路３２２及びアンテナスイッチ３１１を制御する。制御部１００は、第２周波数バンドの無線信号を無線通信部１１０に送信させる場合には、データ等を含む送信信号を無線回路３３０に入力する。無線回路３３０は、入力される送信信号に対してアップコンバート等を行って、第２周波数バンドの送信信号を生成し、生成した送信信号を第２バンド回路３２２に入力する。第２バンド回路３２２は、入力される送信信号に対してフィルタ処理及び増幅処理等を行い、処理後の送信信号をアンテナスイッチ３１１に入力する。アンテナスイッチ３１１は、入力される送信信号をアンテナ３０１から送信する。これにより、アンテナ３０１から、第２周波数バンドの送信信号が無線送信される。また、アンテナ３０１で受信される第２周波数バンドの受信信号は、アンテナスイッチ３１１に入力される。アンテナスイッチ３１１は、入力される受信信号を第２バンド回路３２２に入力する。第２バンド回路３２２は、入力される受信信号に対して増幅処理及びフィルタ処理等を行い、処理後の受信信号を無線回路３３０に入力する。無線回路３３０は、入力される第２周波数バンドの受信信号に対してダウンコンバート等を行って、ベースバンドの受信信号を生成して制御部１００に入力する。制御部１００は、入力される受信信号に対して復調処理等を行って、当該受信信号に含まれるデータ等を取得する。
【００４４】
制御部１００は、無線通信部１１０に第３周波数バンドを用いて無線通信させる場合には、無線回路３３０、第３バンド回路３２３及びアンテナスイッチ３１２を制御する。制御部１００は、第３周波数バンドの無線信号を無線通信部１１０に送信させる場合には、データ等を含む送信信号を無線回路３３０に入力する。無線回路３３０は、入力される送信信号に対してアップコンバート等を行って、第３周波数バンドの送信信号を生成し、生成した送信信号を第３バンド回路３２３に入力する。第３バンド回路３２３は、入力される送信信号に対してフィルタ処理及び増幅処理等を行い、処理後の送信信号をアンテナスイッチ３１２に入力する。アンテナスイッチ３１２は、入力される送信信号をアンテナ３０２から送信する。これにより、アンテナ３０２から、第３周波数バンドの送信信号が無線送信される。また、アンテナ３０２で受信される第３周波数バンドの受信信号は、アンテナスイッチ３１２に入力される。アンテナスイッチ３１２は、入力される受信信号を第３バンド回路３２３に入力する。第３バンド回路３２３は、入力される受信信号に対して増幅処理及びフィルタ処理等を行い、処理後の受信信号を無線回路３３０に入力する。無線回路３３０は、入力される第３周波数バンドの受信信号に対してダウンコンバート等を行って、ベースバンドの受信信号を生成して制御部１００に入力する。制御部１００は、入力される受信信号に対して復調処理等を行って、当該受信信号に含まれるデータ等を取得する。
【００４５】
制御部１００は、無線通信部１１０に第４周波数バンドを用いて無線通信させる場合には、無線回路３３０、第４バンド回路３２４及びアンテナスイッチ３１２を制御する。制御部１００は、第４周波数バンドの無線信号を無線通信部１１０に送信させる場合には、データ等を含む送信信号を無線回路３３０に入力する。無線回路３３０は、入力される送信信号に対してアップコンバート等を行って、第４周波数バンドの送信信号を生成し、生成した送信信号を第４バンド回路３２４に入力する。第４バンド回路３２４は、入力される送信信号に対してフィルタ処理及び増幅処理等を行い、処理後の送信信号をアンテナスイッチ３１２に入力する。アンテナスイッチ３１２は、入力される送信信号をアンテナ３０２から送信する。これにより、アンテナ３０２から、第４周波数バンドの送信信号が無線送信される。また、アンテナ３０２で受信される第４周波数バンドの受信信号は、アンテナスイッチ３１２に入力される。アンテナスイッチ３１２は、入力される受信信号を第４バンド回路３２４に入力する。第４バンド回路３２４は、入力される受信信号に対して増幅処理及びフィルタ処理等を行い、処理後の受信信号を無線回路３３０に入力する。無線回路３３０は、入力される第４周波数バンドの受信信号に対してダウンコンバート等を行って、ベースバンドの受信信号を生成して制御部１００に入力する。制御部１００は、入力される受信信号に対して復調処理等を行って、当該受信信号に含まれるデータ等を取得する。
【００４６】
このように、無線通信部１１０は、制御部１００による制御によって、第１〜第４周波数バンドのそれぞれを用いて、通信相手装置、本例では基地局と無線通信することが可能である。
【００４７】
なお、無線通信部１１０が対応する周波数バンドの種類は上記に限られない。無線通信部１１０は、２種類の周波数バンドに対応してよいし、５種類以上の周波数バンドに対応してよい。また、無線通信部１１０の構成は図４の例には限られない。
【００４８】
＜制御部内の機能ブロック＞
図５は、ＣＰＵ１０１及びＤＳＰ１０２が記憶部１０３内の制御プログラム１０３ａを実行することによって形成される一部の機能ブロックを示す図である。図５に示されるように、制御部１００は、機能ブロックとして、サーチ部４００及び水中判定部４１０を備える。なお、サーチ部４００及び水中判定部４１０の少なくとも一つは、その機能の実行にソフトウェアが不要なハードウェア回路で実現されてよい。
【００４９】
水中判定部４１０は、圧力センサ１５０での検出結果に基づいて、電子機器１が水中に存在するか否かを判定する水中判定を行う。水中判定部４１０は、電子機器１の機器ケース１０が水中に存在するか否かを判定するとも言える。例えば、水中判定部４１０は、圧力センサ１５０での検出結果に基づいて圧力値を求める。そして、水中判定部４１０は、求めた圧力値としきい値とを比較する。水中判定部４１０は、圧力値がしきい値よりも大きい場合には、電子機器１が水中に存在すると判定する。一方で、水中判定部４１０は、圧力値がしきい値以下の場合には、電子機器１が水中に存在しないと判定する。水中判定部４１０は、圧力値がしきい値以上の場合に電子機器１が水中に存在すると判定し、圧力値がしきい値未満の場合には電子機器１が水中に存在しないと判定してもよい。なお、圧力値と比較されるしきい値は、電子機器１が水中に存在する場合において制御部１００が求める圧力値を予め取得しておき、その圧力値に基づいて適宜設定することができる。
【００５０】
電子機器１が水中に存在する場合としては、例えば、ユーザが、電子機器１に水中撮影を実行させる場合が考えられる。ユーザが、水中に存在する電子機器１に対して所定の操作を行うと、電子機器１では、第１カメラ１９０あるいは第２カメラ２００が水中に存在する被写体を撮影する。これにより、電子機器１では水中撮影が実行される。
【００５１】
なお、水中判定部４１０は、圧力センサ１５０以外のセンサでの検出結果に基づいて水中判定を行ってもよい。例えば、水中判定部４１０は、静電容量を検出可能なセンサでの検出結果に基づいて水中判定を行ってもよい。静電容量を検出可能なセンサは、静電容量を検出し、その検出結果として、検出した静電容量に応じた電気信号を制御部１００に出力する。水中判定部４１０は、入力された検出結果に基づいて静電容量の値を求める。水中判定部４１０は、例えば、求めた静電容量の値に基づいて、電子機器１が水中に存在するか否かを判定する。水中判定部４１０は、例えば、求めた静電容量の値がしきい値よりも大きい場合に電子機器１が水中に存在すると判定し、求めた静電容量の値がしきい値以下の場合に電子機器１が水中に存在しないと判定する。なお、水中判定部４１０は、求めた静電容量の値がしきい値以上の場合に電子機器１が水中に存在すると判定し、求めた静電容量の値がしきい値未満の場合に電子機器１が水中に存在しないと判定してもよい。静電容量の値と比較されるしきい値は、電子機器１が水中に存在する場合において制御部１００が求める静電容量の値を予め取得しておき、その値に基づいて適宜設定することができる。静電容量を検出可能なセンサは、例えば、タッチセンサ等である。静電容量を検出可能なセンサとして、タッチパネル１４０が採用されてもよい。また、水中判定部４１０は、圧力センサ１５０での検出結果と、静電容量を検出可能なセンサでの検出結果とに基づいて、水中判定を行ってもよい。
【００５２】
サーチ部４００は、第１〜第４周波数バンドから、使用に適した周波数バンドをサーチするサーチ処理を、無線通信部１１０が出力する受信信号に基づいて実行する。そして、サーチ部４００は、サーチ処理の結果に基づいて、無線通信部１１０が使用する周波数バンドを決定する。サーチ部４００は、無線通信部１１０がそれを使用して適切に無線通信することができる周波数バンドを、第１〜第４周波数バンドからサーチするとも言える。
【００５３】
＜サーチ処理の詳細＞
待ち受け状態の電子機器１では、音声通話での他の携帯電話機からの呼び出しを通知するための着呼通知を受信するために、無線通信部１１０は間欠的に受信処理を行う。無線通信部１１０は、受信処理と受信処理との間では無線通信を行わない。サーチ部４００は、無線通信部１１０が受信処理を行うたびに、サーチ処理を実行するか否かを決定する。サーチ部４００は、無線通信部１１０が現在使用している周波数バンド、言い換えれば、電子機器１の接続先の基地局が使用している周波数バンド（以後、「使用周波数バンド」と呼ぶことがある）の受信信号に基づいて、サーチ処理を実行するか否かを決定する。例えば、サーチ部４００は、アンテナ１１１で受信される使用周波数バンドの受信信号のＲＳＲＰ（Reference Signal Received Power）及びＲＳＲＱ（Reference Signal Received Quality）を求める。ＲＳＲＰは受信電力を示す値であって、ＲＳＲＱは受信品質を示す値である。そして、サーチ部４００は、求めたＲＳＲＰが第１しきい値以下のとき、サーチ処理の実行を決定する。さらに、サーチ部４００は、求めたＲＳＲＱが第２しきい値以下のとき、サーチ処理の実行を決定する。サーチ部４００は、求めたＲＳＲＰが第１しきい値よりも大きくかつ、求めたＲＳＲＱが第２しきい値よりも大きいときには、サーチ処理を実行しないことを決定する。
【００５４】
サーチ部４００がサーチ処理の実行を決定すると、制御部１００は、電子機器１の動作モードを、サーチ処理が実行されるサーチ実行モードに設定する。本例では、電子機器１が水中に存在すると水中判定部４１０が判定する場合のサーチ処理と、電子機器１が水中に存在しないと水中判定部４１０が判定する場合のサーチ処理とは異なっている。以後、前者のサーチ処理を第１サーチ処理と呼び、後者のサーチ処理を第２サーチ処理と呼ぶ。
【００５５】
図６は電子機器１がサーチ処理を実行する際の当該電子機器１の動作の一例を示すフローチャートである。サーチ部４００が、使用周波数バンドのＲＳＲＰ及びＲＳＲＱに基づいてサーチ処理の実行を決定した後、ステップｓ１において電子機器１の動作モードがサーチ実行モードに設定されると、ステップｓ２において、水中判定部４１０は、電子機器１が水中に存在するか否かを判定する。ステップｓ２において、電子機器１が水中に存在しないと判定されると、ステップｓ３において、サーチ部４００は、第１サーチ処理を実行する。第１サーチ処理では、例えば、第１〜第４周波数バンドのそれぞれが、使用に適した周波数バンドであるか否かが確認される。
【００５６】
サーチ部４００は、確認対象の対応周波数バンドが、使用に適した周波数バンドであるか否かを確認する場合には、無線通信部１１０が確認対象の対応周波数バンドの受信信号を一時的に受信するように当該無線通信部１１０を制御する。そして、サーチ部４００は、無線通信部１１０が受信する、確認対象の対応周波数バンドの受信信号に基づいて、確認対象の対応周波数バンドが使用に適した周波数バンドであるか否かを確認する。例えば、サーチ部４００は、アンテナ１１１で受信される、確認対象の対応周波数バンドの受信信号のＲＳＲＰを求める。そして、サーチ部４００は、求めたＲＳＲＰが第３しきい値よりも大きい場合、確認対象の対応周波数バンドが、使用に適した周波数バンドであると判定する。一方で、サーチ部４００は、求めたＲＳＲＰが第３しきい値以下の場合、確認対象の対応周波数バンドが、使用に適した周波数バンドではないと判定する。また、サーチ部４００は、アンテナ１１１で受信される、確認対象の対応周波数バンドの受信信号のＲＳＲＰを所定の時間ごとに複数求めてもよい。この場合、サーチ部４００は、求めた複数のＲＳＲＰの大きさのばらつきが第４しきい値より小さい場合、確認対象の対応周波数バンドが、使用に適した周波数バンドであると判定してよい。一方で、サーチ部４００は、求めた複数のＲＳＲＰの大きさのばらつきが第４しきい値より大きい場合、確認対象の対応周波数バンドが、使用に適した周波数バンドではないと判定してよい。ＲＳＲＰの代わりにＲＳＲＱが使用されてもよい。また、ＲＳＲＰに加えてＲＳＲＱが使用されてもよい。
【００５７】
サーチ部４００は、このようにして、第１〜第４周波数バンドのそれぞれが、使用に適した周波数バンドであるか否かを確認する。なお、確認対象の対応周波数バンドが、使用に適した周波数バンドであるか否かの確認方法はこの限りではない。また、上記の特許文献１に記載されているように、第１〜第４周波数バンドに対して使用優先度（特許文献１での接続優先度に相当）が設定されている場合には、サーチ部４００は、当該使用優先度を考慮して第１サーチ処理を行ってもよい。
【００５８】
ステップｓ３での第１サーチ処理が終了すると、ステップｓ４において、制御部１００は、ステップｓ３の第１サーチ処理において、使用に適した周波数バンドが見つかったか否かを判定する。制御部１００は、使用に適した周波数バンドが見つかった場合には、ステップｓ５において、その中から、使用対象の周波数バンドを決定する。第１サーチ処理において、複数の使用に適した周波数バンドが見つかった場合には、制御部１００は、例えば、その中から、第１サーチ処理で求められたＲＳＲＰが最も大きい対応周波数バンドを、使用対象の周波数バンドとする。第１サーチ処理において、使用に適した周波数バンドが一つのみ見つかった場合には、それが使用対象の周波数バンドとなる。
【００５９】
ステップｓ５において、使用対象の周波数バンドが決定されると、ステップｓ６において、制御部１００は、サーチ実行モードを解除する。その後、ステップｓ７において、制御部１００は、ステップｓ５で決定された使用対象の周波数バンドを使用して無線通信を行うように、無線通信部１１０を制御する。つまり、制御部１００は、ステップｓ５で決定された使用対象の周波数バンドで無線通信する基地局に電子機器１を接続する。これにより、待ち受け状態の電子機器１は、間欠的に行う受信処理において、ステップｓ５で決定された使用対象の周波数バンドの受信信号を受信する。
【００６０】
一方で、ステップｓ４において、使用に適した周波数バンドがステップｓ３の第１サーチ処理で見つからなかったと判定されると、サーチ部４００は、ステップｓ３を実行して再度第１サーチ処理を実行する。この第１サーチ処理は、前回の第１サーチ処理の開始から第１の所定時間Ｔ１後に実行される。以後、電子機器１は同様に動作する。第１サーチ処理は、使用に適した周波数バンドが見つからない限り、第１の所定時間Ｔ１ごとに間欠的に実行される。図７は第１サーチ処理が間欠的に実行される様子を示す図である。第１サーチ処理が間欠的に行われる場合、無線通信部１１０は、第１サーチ処理の終了から、次の第１サーチ処理の開始までの間、無線通信を行わない。
【００６１】
このように、電子機器１が水中に存在しない場合には、サーチ部４００は、使用に適した周波数バンドが見つからない限り、第１の所定時間Ｔ１ごとに第１サーチ処理を間欠的に実行する。
【００６２】
ステップｓ２において、電子機器１が水中に存在すると判定されると、ステップｓ１０において、サーチ部４００は第２サーチ処理を開始する。第２サーチ処理が開始されると、ステップｓ１１において、サーチ部４００は、第１〜第４周波数バンドのうちの最低の周波数バンドである最低周波数バンドが、使用に適した周波数バンドが否かを確認する。
【００６３】
サーチ部４００は、ステップｓ１１において、最低周波数バンドが、使用に適した周波数バンドであると判定すると、ステップｓ１２において第２サーチ処理を終了する。
【００６４】
ステップｓ１２の後、ステップｓ１３において、制御部１００は、使用に適した周波数バンドであると判定された最低周波数バンドを使用対象の周波数バンドに決定する。その後、上述のステップｓ６，ｓ７が実行される。これにより、電子機器１は、最低周波数バンドを使用する基地局に接続され、待ち受け状態の電子機器１は、間欠的に行う受信処理において、最低周波数バンドの受信信号を受信する。
【００６５】
一方で、サーチ部４００は、ステップｓ１１において、最低周波数バンドが、使用に適した周波数バンドではないと判定すると、ステップｓ１４において第２サーチ処理を終了する。そして、ステップｓ１５において、水中判定部４１０は、電子機器１が水中に存在するか否かを判定する。ステップｓ１５は、電子機器１が水中に存在しないと判定されるまで、繰り返し実行される。ステップｓ１５において、電子機器１が水中に存在しないと判定されると、上述のステップｓ３が実行されて、第１サーチ処理が実行される。その後、ステップｓ４が実行されて、以後、電子機器１は上記と同様に動作する。
【００６６】
なお、上記の例に係る第２サーチ処理では、第１〜第４周波数バンドのうち、最低周波数バンドだけ、使用に適した周波数バンドであるか否かが確認されていた。しかしながら、ステップｓ１１において、最低周波数バンドが使用に適した周波数バンドであると判定された場合には、最低周波数バンド以外の対応周波数バンドが確認されてもよい。図８はこの場合の電子機器１の動作の一例を示すフローチャートである。図８の例では、第１〜第４周波数バンドに対して使用優先度が割り当てられている。そして、第１〜第４周波数バンドには、最低周波数バンドの使用優先度よりも高い使用優先度の周波数バンドが含まれている。使用優先度は、例えば、電子機器１が通信する基地局を制御する上位装置から、当該基地局を通じて電子機器１に通知される。
【００６７】
図８に示されるように、ステップｓ１１において、最低周波数バンドが使用に適した周波数バンドであると判定された場合、サーチ部４００は、ステップｓ２１において、最低周波数バンド以外の対応周波数バンドを確認する。具体的には、サーチ部４００は、第１〜第４周波数バンドにおいて、最低周波数バンドよりも使用優先度が高い対応周波数バンドが、使用に適した周波数バンドであるか否かを上記と同様にして確認する。そして、サーチ部４００は、ステップｓ２２において第２サーチ処理を終了する。
【００６８】
次にステップｓ２３において、制御部１００は、ステップｓ２１での結果に基づいて、使用対象の周波数バンドを決定する。具体的には、制御部１００は、ステップｓ２１において、最低周波数バンドよりも使用優先度が高い対応周波数バンドが、使用に適した周波数バンドであると判定されると、その使用優先度が高い対応周波数バンドを、使用対象の周波数バンドに決定する。第１〜第４周波数バンドに、使用に適した周波数バンドであると判定された、最低周波数バンドよりも使用優先度が高い複数の対応周波数バンドが含まれる場合、サーチ部４００は、当該複数の対応周波数バンドのうち、ステップｓ２１で求められたＲＳＲＰが最も大きい対応周波数バンドを使用対象の周波数バンドに決定する。一方で、サーチ部４００は、第１〜第４周波数バンドに含まれる、最低周波数バンドよりも使用優先度が高い複数の対応周波数バンドのすべてが、使用に適した周波数バンドではないと判定されると、最低周波数バンドを使用対象の周波数バンドに決定する。ステップｓ２３の後、ステップｓ６，ｓ７が実行される。
【００６９】
以上のように、電子機器１が水中に存在すると水中判定部４１０が判定する場合のサーチ処理である第２サーチ処理では、第１〜第４周波数バンドのうち、最初に最低周波数バンドが確認される（ステップｓ１１）。そして、確認の結果、最低周波数バンドが使用に適した周波数バンドではないと判定されたときには（ステップｓ１１のＮｏ）、第１〜第４周波数バンドのうち、最低周波数バンド以外のすべての周波数バンドが確認されずに第２サーチ処理が終了する（ステップｓ１４）。そして、水中判定部４１０が電子機器１が水中に存在しないと判定するまで（ステップｓ１５のＮｏ）、第２サーチ処理は実行されない。
【００７０】
ここで、無線信号の水中での減衰量は、当該無線信号の周波数バンドが高いほど、大きくなる傾向にある。したがって、電子機器１が水中に存在する場合には、第１〜第４周波数バンドが使用された無線通信の通信品質のうち、最低周波数バンドが使用された無線通信の通信品質が、最もよい可能性が高い。そのため、電子機器１が水中に存在する場合には、最低周波数バンドが使用に適した周波数バンドでないとき、他の対応周波数バンドも、使用に適した周波数バンドでない可能性が高い。言い換えれば、電子機器１が水中に存在する場合、無線通信部１１０が、最低周波数バンドを使用して適切に無線通信できないときには、他の対応周波数バンドを使用しても適切に無線通信できない可能性が高い。よって、電子機器１が水中に存在する場合、最低周波数バンドが使用に適した周波数バンドでないとき、他の対応周波数バンドが使用に適した周波数バンドであるか否かを確認する必要性が低い。
【００７１】
本例に係る第２サーチ処理では、まず最低周波数バンドが確認され、最低周波数バンドが使用に適した周波数バンドではないと判定されたときには、他の対応周波数バンドのすべてが確認されずに第２サーチ処理が終了する。したがって、必要性の低い、他の対応周波数バンドの確認が行われることを抑制することができる。その結果、電子機器１の消費電力が低減する。
【００７２】
また本例では、第２サーチ処理において、最低周波数バンドが使用に適した周波数バンドでないと判定された場合には、第２サーチ処理が終了する（ステップｓ１４）。その後、電子機器１が水中に存在しないと判定される場合には、第１サーチ処理が実行される（ステップｓ１３）。したがって、サーチ部４００は、電子機器１が水中から出た後すぐに、使用に適した周波数バンドを見つけることができる。よって、無線通信部１１０は、電子機器１が水中から出た後すぐに、基地局と適切に無線通信することができる。
【００７３】
＜各種変形例＞
以下に電子機器１の各種変形例について説明する。
【００７４】
＜第１変形例＞
図９は本変形例に係る電子機器１の動作の一例を示すフローチャートである。図９に示されるフローチャートは、上述の図６に示されるフローチャートに対して、ステップｓ１３の後にステップｓ３１〜ｓ３４が追加されたものである。
【００７５】
図９に示されるように、ステップｓ１３において、最低周波数バンドが使用対象の周波数バンドとして決定されると、ステップｓ３１において、制御部１００は、サーチ実行モードを解除する。
【００７６】
次にステップｓ３２において、ステップｓ７と同様に、制御部１００は、使用対象の周波数バンドを使用して無線通信を行うように、無線通信部１１０を制御する。これにより、待ち受け状態の電子機器１は、間欠的に行う受信処理において、最低周波数バンドの受信信号を受信する。
【００７７】
次にステップｓ３３において、水中判定部４１０は、電子機器１が水中に存在するか否かを判定する。ステップｓ３３は、電子機器１が水中に存在しないと判定されるまで、繰り返し実行される。ステップｓ３３において、電子機器１が水中に存在しないと判定されると、制御部１００は、ステップｓ３４において、電子機器１の動作モードをサーチ実行モードに設定する。言い換えれば、制御部１００は、電子機器１が水中から出た場合に、電子機器１の動作モードをサーチ実行モードに設定する。その後、上述のステップｓ３が実行されて、第１サーチ処理が実行される。ステップｓ３が実行されるとステップｓ４が実行され、以後、電子機器１は上記と同様に動作する。本変形例に係る電子機器１は、最低周波数バンドが使用に適した周波数バンドであると判定した後は、電子機器１が水中から出るまで、最低周波数バンドを使用して無線通信を行う。
【００７８】
ここで、電子機器１が水中に存在する場合、最低周波数バンドが使用に適した周波数バンドであると判定されたとしても、当該最低周波数バンドが、電子機器１が水中に存在しない場合にも、使用に適した周波数バンドであるとは限らない。
【００７９】
本変形例では、最低周波数バンドが使用に適した周波数バンドであると判定された後、第２サーチ処理が終了し、その後、電子機器１が水中に存在しないと判定されたとき、サーチ処理（第１サーチ処理）が行われる。したがって、サーチ部４００は、電子機器１が水中から出たときに、使用に適した周波数バンドをすぐに見つけることができる。よって、電子機器１が水中から出た後すぐに、無線通信部１１０は、基地局と適切に無線通信することができる。
【００８０】
なお、上述の図８に示されるフローチャートにおいて、ステップｓ２３の後にステップｓ３１〜ｓ３４が追加されてもよい。図１０はこの場合のフローチャートを示す図である。この場合であっても、無線通信部１１０は、電子機器１が水中から出た後すぐに、基地局と適切に無線通信することができる。
【００８１】
また、ステップｓ３２の後、電子機器１が水中に存在すると判定される場合に、使用周波数バンド（最低周波数バンド）の受信信号のＲＳＲＰが第１しきい値以下のとき、ステップｓ１が実行されてもよい。また、ステップｓ３２の後、電子機器１が水中に存在すると判定される場合に、使用周波数バンド（最低周波数バンド）の受信信号のＲＳＲＱが第２しきい値以下のとき、ステップｓ１が実行されてもよい。これらの場合には、ステップｓ３２の後、ステップｓ３４が実行されずにステップｓ１が実行される。ステップｓ１の後、電子機器１は同様に動作する。
【００８２】
＜第２変形例＞
図１１は本変形例に係る電子機器１の動作の一例を示すフローチャートである。図１１に示されるフローチャートは、上述の図６に示されるフローチャートに対して、ステップｓ１３の後にステップｓ４１〜ｓ４４が追加され、ステップｓ１５の後にステップｓ４５が追加されたものである。
【００８３】
図１１に示されるように、ステップｓ１３において、最低周波数バンドが使用対象の周波数バンドとして決定されると、ステップｓ４１において、制御部１００は、サーチ実行モードを解除する。
【００８４】
次にステップｓ４２において、ステップｓ７と同様に、制御部１００は、使用対象の周波数バンドを使用して無線通信を行うように、無線通信部１１０を制御する。これにより、待ち受け状態の電子機器１は、間欠的に行う受信処理において、最低周波数バンドの受信信号を受信する。
【００８５】
次にステップｓ４３において、水中判定部４１０は、電子機器１が水中に存在するか否かを判定する。ステップｓ４３は、電子機器１が水中に存在しないと判定されるまで、繰り返し実行される。ステップｓ４３において、電子機器１が水中に存在しないと判定されると、ステップｓ４４において、無線通信部１１０は、ステップｓ１０の第２サーチ処理の直前に使用していた対応周波数バンドを使用して無線通信を行う。言い換えれば、無線通信部１１０は、電子機器１が水中から出た場合には、ステップｓ１０の第２サーチ処理の直前に使用していた対応周波数バンドを使用して無線通信を行う。
【００８６】
一方で、ステップｓ１４の後に実行されるステップｓ１５において、電子機器１が水中に存在しないと判定されると、制御部１００は、ステップｓ４５において、サーチ実行モードを解除する。そして、ステップｓ４４が実行される。
【００８７】
このように、本変形例では、無線通信部１１０は、水中判定部４１０が電子機器１が水中に存在すると判定する場合のサーチ処理（第２サーチ処理）が終了した後に水中判定部４１０が電子機器１が水中に存在しないと判定したとき、当該サーチ処理の直前において使用していた対応周波数バンドを使用して無線通信を行う。言い換えれば、無線通信部１１０は、第２サーチ処理が終了した後に電子機器１が水中から出たとき、当該第２サーチ処理の直前において使用していた対応周波数バンドを使用して無線通信を行う。
【００８８】
ここで、電子機器１と基地局との間の通信状態が悪化してステップｓ１が実行され、その後ステップｓ２において、電子機器１が水中に存在すると判定される場合、電子機器１と基地局との間の通信状態の悪化の原因は、電子機器１が水中に入ったことである可能性が高い。つまり、電子機器１と基地局との間の通信状態は、電子機器１が水中に入る前までは良好である可能性が高い。
【００８９】
本変形例では、無線通信部１１０は、第２サーチ処理が終了した後に電子機器１が水中から出たとき、当該第２サーチ処理の直前において使用していた対応周波数バンドを使用して無線通信を行う。言い換えれば、無線通信部１１０は、電子機器１が水中に入った後の第２サーチ処理が終了した後に電子機器１が水中から出たとき、電子機器１が水中に入る直前に使用していた対応周波数バンドを使用して無線通信を行う。したがって、無線通信部１１０が、電子機器１が水中から出た後すぐに、基地局と適切に無線通信することができる可能性を高めることができる。
【００９０】
なお、上述の図８に示されるフローチャートにおいて、ステップｓ２３の後にステップｓ４１〜ｓ４４が追加され、ステップｓ１５の後にステップｓ４５が追加されてもよい。図１２はこの場合のフローチャートを示す図である。この場合であっても、無線通信部１１０が、電子機器１が水中から出た後すぐに、基地局と適切に無線通信することができる可能性を高めることができる。
【００９１】
また、ステップｓ４２の後、電子機器１が水中に存在すると判定される場合に、使用周波数バンドの受信信号のＲＳＲＰが第１しきい値以下のとき、ステップｓ１が実行されてもよい。また、ステップｓ４２の後、電子機器１が水中に存在すると判定される場合に、使用周波数バンドのＲＳＲＱが第２しきい値以下のとき、ステップｓ１が実行されてもよい。これらの場合には、ステップｓ４２の後、ステップｓ４４が実行されずにステップｓ１が実行される。ステップｓ１の後、電子機器１は同様に動作する。
【００９２】
＜第３変形例＞
図１３は本変形例に係る電子機器１の動作の一例を示すフローチャートである。図１３に示されるフローチャートは、上述の図６に示されるフローチャートにおいて、ステップｓ１５の替りにステップｓ５１が実行されるものである。
【００９３】
図１３に示されるように、ステップｓ１４において第２サーチ処理が終了すると、ステップｓ５１において、水中判定部４１０は電子機器１が水中に存在するか否かを判定する。ステップｓ５１において、電子機器１が水中に存在しないと判定されると、ステップｓ３が実行されて第１サーチ処理が実行される。以後、電子機器１は同様に動作する。
【００９４】
一方で、ステップｓ５１において、電子機器１が水中に存在すると判定されると、ステップｓ１０が実行されて、第２サーチ処理が再度開始する。この第２サーチ処理は、前回の第２サーチ処理の開始から第２の所定時間Ｔ２後に実行される。以後、電子機器１は同様に動作する。第２の所定時間Ｔ２は、上記の第１の所定時間Ｔ１よりも大きい値に設定される。水中に存在する電子機器１では、第２サーチ処理が、最低周波数バンドが使用に適した周波数バンドであると判定されない限り、第２の所定時間Ｔ２ごとに間欠的に実行される。図１４は第２サーチ処理が間欠的に実行される様子を示す図である。第２サーチ処理が間欠的に行われる場合、無線通信部１１０は、第２サーチ処理の終了から、次の第２サーチ処理の開始までの間、無線通信を行わない。
【００９５】
このように、本変形例では、サーチ部４００は、水中判定部４１０が電子機器１が水中に存在すると判定する場合、第２サーチ処理において最低周波数バンドが使用に適した周波数バンドであると判定されないときには、当該第２サーチ処理の開始から、第１の所定時間Ｔ１よりも長い第２の所定時間Ｔ２後に再度第２サーチ処理を実行する。言い換えれば、サーチ部４００は、水中判定部４１０が電子機器１が水中に存在すると判定する場合、第２サーチ処理において使用に適した周波数バンドが見つからないときには、当該第２サーチ処理の開始から、第１の所定時間Ｔ１よりも長い第２の所定時間Ｔ２後に再度第２サーチ処理を実行する。これにより、第１サーチ処理が実行される間隔よりも、第２サーチ処理が実行される間隔が長くなることから、電子機器１の消費電力が低減する。
【００９６】
なお図１５に示されるように、上述の図８に示されるフローチャートにおいて、ステップｓ１５の替りにステップｓ５１が実行されてもよい。また図１６に示されるように、上述の図９に示されるフローチャートにおいて、ステップｓ１５の替りにステップｓ５１が実行されてもよい。また図１７に示されるように、上述の図１０に示されるフローチャートにおいて、ステップｓ１５の替りにステップｓ５１が実行されてもよい。また図１８に示されるように、上述の図１１に示されるフローチャートにおいて、ステップｓ１５の替りにステップｓ５１が実行されてもよい。また図１９に示されるように、上述の図１２に示されるフローチャートにおいて、ステップｓ１５の替りにステップｓ５１が実行されてもよい。
【００９７】
＜その他の変形例＞
電子機器１の一部の構成は、ユーザによって交換可能であってもよい。例えば、電子機器１の制御部（制御装置）１００がユーザによって交換可能であってよい。また、電子機器１の表示部１２０がユーザによって交換可能であってもよい。また、電子機器１の第１カメラ１９０あるいは第２カメラ２００がユーザによって交換可能であってもよい。また、電子機器１の一部の構成は、電子機器１に搭載されなくてもよい。例えば、電子機器１の第１カメラ１９０がユーザによって電子機器１から取り外され、第１カメラ１９０が電子機器１に搭載されなくてもよい。
【００９８】
また上記の例では、電子機器１は、スマートフォン等の携帯電話機であったが、他の種類の電子機器であってもよい。電子機器１は、例えば、タブレット端末、パーソナルコンピュータ、ウェアラブル機器などであってもよい。当該ウェアラブル機器は、腕時計型などの腕に装着するタイプであってもよいし、メガネ型などの頭に装着するタイプであってもよいし、服型などの体に装着するタイプであってもよい。
【００９９】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１００】
１  電子機器
１００  制御装置
１１０  無線通信部
４００  サーチ部
４１０  水中判定部
【図１】
0006510453.tif 000002
【図２】
0006510453.tif 000003
【図３】
0006510453.tif 000004
【図４】
0006510453.tif 000005
【図５】
0006510453.tif 000006
【図６】
0006510453.tif 000007
【図７】
0006510453.tif 000008
【図８】
0006510453.tif 000009
【図９】
0006510453.tif 000010
【図１０】
0006510453.tif 000011
【図１１】
0006510453.tif 000012
【図１２】
0006510453.tif 000013
【図１３】
0006510453.tif 000014
【図１４】
0006510453.tif 000015
【図１５】
0006510453.tif 000016
【図１６】
0006510453.tif 000017
【図１７】
0006510453.tif 000018
【図１８】
0006510453.tif 000019
【図１９】
0006510453.tif 000020